(57)【要約】【課題】ノイズ除去性能を満足しながら小型化を図ることができるノイズフィルタを提供する。【解決手段】ノイズフィルタ１は、ワイヤハーネスと接続される入力端子２４及び出力端子２５と、入力端子２４から出力端子２５までの導電路に設けられた一対のインダクタＬ１，Ｌ２と、入力端子２４から出力端子２５までの導電路を構成する第１バスバ２１，第２バスバ２２，第３バスバ２３と、コンデンサＣと、グランドに接続される接地バスバ２６と、を有している。このノイズフィルタ１においては、静電結合が起こり易いインダクタＬ１，Ｌ２間に位置する第１バスバ２１と第２バスバ２２との間に、接地バスバ２６が配置されている。【選択図】図３
2015204527.tif 000002
【特許請求の範囲】
【請求項１】
ワイヤハーネスに接続されるノイズフィルタにおいて、
前記ワイヤハーネスと接続される入力部及び出力部と、前記入力部から前記出力部までの導電路に設けられた一対のインダクタンス形成部と、グランドに接続される金属部材と、を有し、
前記金属部材が、少なくとも、一方のインダクタンス形成部が配置された位置と他方のインダクタンス形成部が配置された位置との間に配置されている
ことを特徴とするノイズフィルタ。
【請求項２】
前記金属部材が、前記入力部が配置された位置と前記出力部が配置された位置との間に配置されている
ことを特徴とする請求項１に記載のノイズフィルタ。
【請求項３】
前記入力部、前記出力部、前記入力部から前記出力部までの導電路を構成する配線部材、前記金属部材が、金属板から成る複数のバスバで構成されており、
前記複数のバスバ、前記一対のインダクタンス形成部、コンデンサがハウジングに収容されてユニット化されている
ことを特徴とする請求項１又は請求項２に記載のノイズフィルタ。
【請求項４】
請求項１ないし請求項３のいずれか１項に記載のノイズフィルタと、該ノイズフィルタが接続されたワイヤハーネスと、を備えている
ことを特徴とするワイヤハーネス組立体。
【請求項５】
前記ワイヤハーネスが、前記入力部と接続された第１の導線と、前記出力部と接続された第２の導線と、前記第１の導線と前記第２の導線との間に配置されかつノイズフィルタから離れた側がオープンとされた第３の導線と、を有し、
前記金属部材が、前記第３の導線に接続されている
ことを特徴とする請求項４に記載のワイヤハーネス組立体。
【発明の詳細な説明】
【技術分野】
【０００１】
本発明は、自動車等に搭載されるワイヤハーネスに接続されるノイズフィルタ、及び該ノイズフィルタを備えたワイヤハーネス組立体に関するものである。
【背景技術】
【０００２】
従来より、ワイヤハーネスに接続されて該ワイヤハーネスに乗った電気的なノイズを除去するノイズフィルタが知られている（例えば特許文献１を参照。）。このノイズフィルタは、様々な構造のものがあるが、例えば、ワイヤハーネスと接続される端子、複数のコイル、コンデンサ、これらを接続した配線部材等が樹脂製ハウジングに収容されて成るノイズフィルタなどがある。
【先行技術文献】
【特許文献】
【０００３】
【特許文献１】特開２００９−１１１８３２号公報
【発明の概要】
【発明が解決しようとする課題】
【０００４】
上記ノイズフィルタにおいては、より一層の小型化が求められているが、ノイズ除去性能を満足しながらのこれ以上の小型化は限界に達しつつあった。その理由の一つとして、回路素子や配線部材等の部品間隔を単純に小さくした場合、当該部品間に静電結合によるノイズ伝搬が起こり易くなり、ノイズがノイズフィルタの所定の回路を通らないことがあるためである。
【０００５】
また、静電結合によるノイズ伝搬の起こり易さは部品間隔のみで決まるものではない。例えば、コイル等のインダクタンス形成部近傍は特に静電結合が起こり易く、インダクタンス形成部近傍の部品間隔を大きく取る必要があった。このため、インダクタンス形成部を複数有するノイズフィルタにおいては、ノイズ除去性能を満足しながら小型化を図ることが特に困難であった。
【０００６】
したがって、本発明は、ノイズ除去性能を満足しながら小型化を図ることができるノイズフィルタ、及びそれを備えたワイヤハーネス組立体を提供することを目的とする。
【課題を解決するための手段】
【０００７】
請求項１に記載された発明は、上記目的を達成するために、ワイヤハーネスに接続されるノイズフィルタにおいて、前記ワイヤハーネスと接続される入力部及び出力部と、前記入力部から前記出力部までの導電路に設けられた一対のインダクタンス形成部と、グランドに接続される金属部材と、を有し、前記金属部材が、少なくとも、一方のインダクタンス形成部が配置された位置と他方のインダクタンス形成部が配置された位置との間に配置されていることを特徴とするノイズフィルタである。
【０００８】
請求項２に記載された発明は、請求項１に記載された発明において、前記金属部材が、前記入力部が配置された位置と前記出力部が配置された位置との間に配置されていることを特徴とするものである。
【０００９】
請求項３に記載された発明は、請求項１又は請求項２に記載された発明において、前記入力部、前記出力部、前記入力部から前記出力部までの導電路を構成する配線部材、前記金属部材が、金属板から成る複数のバスバで構成されており、前記複数のバスバ、前記一対のインダクタンス形成部、コンデンサがハウジングに収容されてユニット化されていることを特徴とするものである。
【００１０】
請求項４に記載された発明は、請求項１ないし請求項３のいずれか１項に記載のノイズフィルタと、該ノイズフィルタが接続されたワイヤハーネスと、を備えていることを特徴とするワイヤハーネス組立体である。
【００１１】
請求項５に記載された発明は、請求項４に記載された発明において、前記ワイヤハーネスが、前記入力部と接続された第１の導線と、前記出力部と接続された第２の導線と、前記第１の導線と前記第２の導線との間に配置されかつノイズフィルタから離れた側がオープンとされた第３の導線と、を有し、前記金属部材が、前記第３の導線に接続されていることを特徴とするものである。
【発明の効果】
【００１２】
請求項１，３，４に記載された発明によれば、前記金属部材が、少なくとも、一方のインダクタンス形成部が配置された位置と他方のインダクタンス形成部が配置された位置との間に配置されているので、静電結合により一方又は他方のインダクタンス形成部近傍から金属部材にノイズが伝搬することはあっても、一方のインダクタンス形成部近傍と他方のインダクタンス形成部近傍との間での静電結合によるノイズ伝搬は起こり難い。よって、一対のインダクタンス形成部近傍の部品間隔を小さくすることができ、ノイズ除去性能を満足しながらノイズフィルタを小型化することができる。
【００１３】
請求項２に記載された発明によれば、前記金属部材が、前記入力部が配置された位置と前記出力部が配置された位置との間に配置されているので、入力部と出力部との間での静電結合によるノイズ伝搬を起こり難くすることができる。
【００１４】
請求項５に記載された発明によれば、前記ワイヤハーネスが、前記入力部と接続された第１の導線と、前記出力部と接続された第２の導線と、前記第１の導線と前記第２の導線との間に配置されかつノイズフィルタから離れた側がオープンとされた第３の導線と、を有し、前記金属部材が、前記第３の導線に接続されているので、第１の導線と第２の導線との間での静電結合によるノイズ伝搬を起こり難くすることができ、第３の導線及びこれに接続された金属部材を介してノイズをグランド側に落とすことができる。
【図面の簡単な説明】
【００１５】
【図１】本発明の第１の実施形態にかかるノイズフィルタの斜視図である。
【図２】図１のノイズフィルタを構成する複数のバスバ及びブラケットの斜視図である。
【図３】図１のノイズフィルタの構成を説明する説明図である。
【図４】図１のノイズフィルタが接続されるワイヤハーネスの構成を説明する説明図である。
【図５】図１のノイズフィルタが用いられた、ワイヤハーネスのノイズ除去回路の回路図である。
【図６】本発明の第２の実施形態にかかるノイズフィルタの構成を説明する説明図である。
【図７】図６ノイズフィルタが接続されるワイヤハーネスの構成を説明する説明図である。
【図８】図６のノイズフィルタが用いられた、ワイヤハーネスのノイズ除去回路の回路図である。
【発明を実施するための形態】
【００１６】
（第１の実施形態）
本発明の第１の実施形態にかかる「ノイズフィルタ」及び「ワイヤハーネス組立体」を図１〜５を参照して説明する。図１に示すノイズフィルタ１は、図４に示すワイヤハーネスＷＨ１に接続されて、図５に示すワイヤハーネスＷＨ１のノイズ除去回路１０を構成するものである。ノイズ除去回路１０は、ワイヤハーネスＷＨ１の幹線６から分岐した分岐線６ａと、分岐線６ａの先端部に接続されるノイズフィルタ１と、で構成されている。これらノイズフィルタ１と、該ノイズフィルタ１が接続されたワイヤハーネスＷＨ１と、を備えたものが「ワイヤハーネス組立体」である。
【００１７】
ワイヤハーネスＷＨ１は、自動車に配索されて該自動車に搭載された機器同士を接続するものであり、図４に示すように、複数本の電線６０，６１，６２が束ねられた幹線６と、分岐線６ａと、を有している。分岐線６ａは、幹線６の電線６０，６１，６２うちノイズ除去対象となる電線６１，６２が幹線６から分岐して延びた電線分岐部分６１ａ，６２ａと、当該電線分岐部分６１ａ，６２ａの先端部に取り付けられた雌型の端子７１，７２と、これら端子７１，７２を収容したコネクタハウジング７０と、を有している。端子７１，７２及びコネクタハウジング７０はコネクタ７を構成している。一対の電線分岐部分６１ａ，６２ａは平行に延びており、外周にテープ６４が巻かれている。
【００１８】
ノイズフィルタ１は、図１〜３に示すように、電線分岐部分６１ａと接続される雄型の入力端子（請求項の「入力部」に相当する。）２４と、電線分岐部分６２ａと接続される雄型の出力端子（請求項の「出力部」に相当する。）２５と、入力端子２４から出力端子２５までの導電路に設けられた一対のインダクタ（請求項の「インダクタンス形成部」に相当する。）Ｌ１，Ｌ２と、入力端子２４から出力端子２５までの導電路を構成する「配線部材」としての第１バスバ２１，第２バスバ２２，第３バスバ２３と、接地バスバ（請求項の「金属部材」に相当する。）２６と、コンデンサＣと、ブラケット２７と、取付部材３と、ハウジング５と、を有している。
【００１９】
上述した入力端子２４、出力端子２５、第１バスバ２１、第２バスバ２２、第３バスバ２３、接地バスバ２６、ブラケット２７は、一枚の金属板から打ち抜かれた母材が合成樹脂製の取付部材３にインサート成形により一体化され、該インサート成形後に前記母材の不要部分が切断されて図２，３に示す形状に形成されている。
【００２０】
入力端子２４及び出力端子２５は、細長い板状に形成されており、互いに間隔をあけて平行に配置されている。これら入力端子２４及び出力端子２５は、ハウジング５の後述する嵌合部５２内に位置付けられて、嵌合部５２とともにコネクタ５０を構成する。このコネクタ５０は、分岐線６ａのコネクタ７と接続される。コネクタ５０とコネクタ７とが接続される際、入力端子２４が電線分岐部分６１ａの先端部に取り付けられた端子７１と嵌合され、出力端子２５が電線分岐部分６２ａの先端部に取り付けられた端子７２と嵌合される。
【００２１】
第１バスバ２１及び第２バスバ２２は、平面視略長方形状に形成されており、各々の短辺同士が平行となるように互いに間隔をあけて配置されている。すなわち、第１バスバ２１及び第２バスバ２２は、各々の長辺同士が一直線上に並ぶように配置されている。また、入力端子２４は、第１バスバ２１の短辺に連続するように第１バスバ２１に一体形成されている。出力端子２５は、第２バスバ２２の短辺に連続するように第２バスバ２２に一体形成されている。第３バスバ２３は、細長い長方形状に形成されており、その長辺が第１バスバ２１及び第２バスバ２２の長辺と平行になるように、第１バスバ２１及び第２バスバ２２と間隔をあけて配置されている。
【００２２】
ブラケット２７は、第３バスバ２３の、第１バスバ２１及び第２バスバ２２側と反対側に配置されている。ブラケット２７の一端部にはボルト挿通孔２７ａが設けられている。ブラケット２７は、ボルト挿通孔２７ａにボルトが通されて車体パネルにボルト固定されることにより接地（ボディアース）される。
【００２３】
接地バスバ２６は、ブラケット２７に一体形成されており、ブラケット２７から第３バスバ２３を迂回して入力端子２４及び出力端子２５側に延びている。接地バスバ２６は、ブラケット２７に連結した部分２６ｂと、第１バスバ２１と第２バスバ２２との間に配置された部分２６ａと、を有している。また、接地バスバ２６は、ブラケット２７に連結した部分２６ｂ以外の部分はオープンとされており、如何なるものにも電気接続されていない。前記部分２６ａは、第１バスバ２１の短辺と第２バスバ２２の短辺との間に配置されているとともに、第１バスバ２１及び第２バスバ２２と同一平面上に配置されている。
【００２４】
一対のインダクタＬ１，Ｌ２は、本実施形態では、トロイダルコアに巻線を巻いたトロイダルコイルを用いている。インダクタＬ１は、一方のリード線が第１バスバ２１の貫通孔２１ａ又は貫通孔２１ｂに挿入されてはんだ付けされ、他方のリード線が第３バスバ２３の貫通孔２３ａ又は貫通孔２３ｂに挿入されてはんだ付けされる。インダクタＬ２は、一方のリード線が第２バスバ２２の貫通孔２２ａ又は貫通孔２２ｂに挿入されてはんだ付けされ、他方のリード線が第３バスバ２３の貫通孔２３ｃ又は貫通孔２３ｄに挿入されてはんだ付けされる。また、上記接地バスバ２６の前述した部分２６ａは、図３に示すように、インダクタＬ１が配置された位置とインダクタＬ２が配置された位置との間に配置されている。
【００２５】
コンデンサＣは、一方のリード線が第３のバスバ２３の貫通孔２３ｅに挿入されてはんだ付けされ、他方のリード線がブラケット２７の貫通孔２７ｂに挿入されてはんだ付けされる。
【００２６】
ハウジング５は、合成樹脂で構成されており、入力端子２４及び出力端子２５を位置付ける筒状の嵌合部５２と、それ以外の部品を収容する本体部５１と、を有している。また、ブラケット２７は、ボルト挿通孔２７ａがハウジング５の外部に位置付けられる。このように、ノイズフィルタ１は、入力端子２４、出力端子２５、第１バスバ２１、第２バスバ２２、第３バスバ２３、接地バスバ２６、ブラケット２７、取付部材３、一対のインダクタＬ１，Ｌ２、コンデンサＣがハウジング５に収容されてユニット化されている。
【００２７】
上記構成のノイズフィルタ１は、電線分岐部分６１ａから入力された電流からノイズ（高周波ノイズ）を除去し、ノイズが除去された電流を電線分岐部分６２ａに出力する。
【００２８】
また、本願課題の項で説明したように、一般的に、コイル等のインダクタンス形成部近傍は特に静電結合によるノイズ伝搬が起こり易い部分であるが、このノイズフィルタ１においては、静電結合が起こり易いインダクタＬ１，Ｌ２間に位置する第１バスバ２１と第２バスバ２２との間に、接地バスバ２６の部分２６ａが配置されているので、第１バスバ２１と第２バスバ２２との間での静電結合によるノイズ伝搬が起こり難い。すなわち、ノイズが所定の回路を通らずに第１バスバ２１から第２バスバ２２に伝わろうとした場合、該ノイズが第２バスバ２２より近い接地バスバ２６に伝わってグランドに落ちるので、第１バスバ２１と第２バスバ２２との間での静電結合によるノイズ伝搬が起こり難い。よって、静電結合が起こり易いインダクタＬ１，Ｌ２間において第１バスバ２１と第２バスバ２２との間隔を小さくすることができ、ノイズ除去性能を満足しながらノイズフィルタ１を小型化することができる。
【００２９】
（第２の実施形態）
本発明の第２の実施形態にかかる「ノイズフィルタ」及び「ワイヤハーネス組立体」を図６〜８を参照して説明する。図６〜８において前述した第１の実施形態と同一構成部分には同一符号を付して説明を省略する。
【００３０】
図６に示すノイズフィルタ１０１は、図７に示すワイヤハーネスＷＨ２に接続されて、図８に示すワイヤハーネスＷＨ２のノイズ除去回路１１０を構成するものである。ノイズ除去回路１１０は、ワイヤハーネスＷＨ２の幹線６から分岐した分岐線６ｂと、分岐線６ｂの先端部に接続されるノイズフィルタ１０１と、で構成されている。これらノイズフィルタ１０１と、該ノイズフィルタ１０１が接続されたワイヤハーネスＷＨ２と、を備えたものが「ワイヤハーネス組立体」である。
【００３１】
ワイヤハーネスＷＨ２の分岐線６ｂは、図７に示すように、幹線６から分岐して延びた電線分岐部分６１ａ，６２ａと、電線分岐部分６１ａ，６２ａ間に配置されかつノイズフィルタ１０１から離れた側（幹線６側）がオープンとされた接地電線６３と、電線分岐部分６１ａ，６２ａの先端部に取り付けられた雌型の端子７１，７２と、接地電線６３の先端部に取り付けられた雌型の端子７３と、これら端子７１，７２，７３を収容したコネクタハウジング７０と、を有している。端子７１，７２，７３及びコネクタハウジング７０はコネクタ１０７を構成している。
【００３２】
接地電線６３は、一対の電線分岐部分６１ａ，６２ａ間でこれらと平行に延びている。また、接地電線６３のノイズフィルタ１０１から離れた側の端部は、幹線６の径方向の中心近傍に位置付けられており、如何なるものにも電気接続されていない。電線分岐部分６１ａ，６２ａ及び接地電線６３の外周にはテープ６４が巻かれており、これら電線の位置関係（接地電線６３が中央に位置する。）が固定されている。
【００３３】
このように一対の電線分岐部分６１ａ，６２ａ間に接地電線６３を配置することにより、電線分岐部分６１ａ，６２ａ同士が接近していても、電線分岐部分６１ａと電線分岐部分６２ａとの間での線間容量によるノイズ伝搬が起こり難くなる。すなわち、ノイズがノイズフィルタ１０１を通らずに電線分岐部分６１ａから電線分岐部分６２ａに伝わろうとした場合、該ノイズが電線分岐部分６２ａより近い接地電線６３に伝わってグランドに落ちるので、電線分岐部分６１ａと電線分岐部分６２ａとの間でのノイズ伝搬が起こり難い。
【００３４】
上記電線分岐部分６１ａは請求項の「第１の導線」に相当する。上記電線分岐部分６２ａは請求項の「第２の導線」に相当する。上記接地電線６３は請求項の「第３の導線」に相当する。
【００３５】
ノイズフィルタ１０１は、第１の実施形態で説明した接地バスバ２６の代わりに接地バスバ１２６を有している。接地バスバ１２６は、第１バスバ２１と第２バスバ２２との間に配置された部分２６ａから延長された雄型の端子２６ｃを有している。端子２６ｃは、入力端子２４が配置された位置と出力端子２５が配置された位置との間に配置されるとともにハウジング５の嵌合部５２内に位置付けられて、コネクタ１５０を構成する。このコネクタ１５０は、分岐線６ｂのコネクタ１０７と接続される。コネクタ１５０とコネクタ１０７とが接続される際、接地バスバ１２６に設けられた端子２６ｃが接地電線６３の先端部に取り付けられた端子７３と嵌合される。
【００３６】
上記構成のノイズフィルタ１０１は、接地バスバ１２６が、入力端子２４が配置された位置と出力端子２５が配置された位置との間に配置されているので、入力端子２４と出力端子２５との間での静電結合によるノイズ伝搬を起こり難くすることができる。また、接地バスバ１２６に設けられた端子２６ｃが端子７３を介して接地電線６３と接続されるので、接地電線６３に乗ったノイズを、接地バスバ１２６を介してグランド側に落とすことができる。
【００３７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３８】
１，１０１  ノイズフィルタ
２４  入力端子（入力部）
２５  出力端子（出力部）
２６，１２６  接地バスバ（金属部材）
Ｌ１，Ｌ２  インダクタ（インダクタンス形成部）
ＷＨ１，ＷＨ２  ワイヤハーネス
【図１】
2015204527.tif 000003
【図２】
2015204527.tif 000004
【図３】
2015204527.tif 000005
【図４】
2015204527.tif 000006
【図５】
2015204527.tif 000007
【図６】
2015204527.tif 000008
【図７】
2015204527.tif 000009
【図８】
2015204527.tif 000010